(57)【要約】【課題】金属等の異物が付着した原稿等が搬送路へ送り込まれる直前に金属異物を検知することにより、重要原稿及び装置内が破損することを未然に防止できるようにする。【解決手段】磁束を発生する第１のコイル１と、第１のコイル６から発生した磁束１０により誘導電流を発生する第２のコイル６と、第１のコイル１に接続された通電手段と、第２のコイルから発生した誘導電流を検知する誘導電流検知手段とを有し、第１のコイル１と第２のコイル６を対向して配置すると共に、第１のコイル１と第２のコイル６との間に原稿１０５が通過する原稿搬送パス５を形成し、原稿１０５が原稿搬送パス５を通過する際、１０５原稿に付着した金属異物を、誘導電流検知手段からの出力の変化により検知する異物検知手段を備えた構成とする。【選択図】図１
2005263339.tif 000002
【特許請求の範囲】
【請求項１】
磁束を発生する第１のコイルと、前記第１のコイルから発生した磁束により誘導電流を発生する第２のコイルと、前記第１のコイルに接続された通電手段と、前記第２のコイルから発生した誘導電流を検知する誘導電流検知手段とを有し、前記第１のコイルと前記第２のコイルを対向して配置すると共に、前記第１のコイルと前記第２のコイルとの間に原稿が通過する原稿搬送パスを形成し、前記原稿が前記原稿搬送パスを通過する際、前記原稿に付着した金属異物を、前記誘導電流検知手段からの出力の変化により検知する異物検知手段を備えたことを特徴とする給紙装置。
【請求項２】
前記第１のコイルの中心部又は前記第２のコイルの中心部のうち少なくとも一方に透磁率の高いコア材を配置し、且つ前記コイルの外周には透磁率の高いヨーク材を配置した構成とし、前記コア材は、前記第１のコイルが生成する磁束の磁力線の方向に略一致するよう、また前記ヨーク材は前記第２のコイルを通過して帰還する磁束の磁力線の方向に略一致するように配置したことを特徴とする請求項１記載の給紙装置。
【請求項３】
前記コア材と前記コア材が内挿された前記第１のコイル又は前記第２のコイルは矩形に形成され、且つ前記コア材の前記搬送パスにおける前記原稿搬送方向における前記原稿搬送パス側の幅がコア材の前記原稿搬送パスとは反対側の幅より、バス側が小さく形成されたことを特徴とする請求項２記載の給紙装置。
【請求項４】
前記コア材が内挿された前記第１のコイル又は前記第２のコイルの一方又は両方のコイルと前記コア材の間、又は前記ヨーク材との間に遮蔽部材を設けたことを特徴とする請求項２又は３記載の給紙装置。
【請求項５】
前記通電手段によって前記第１のコイルに供給される電流を制御する第１の電流制限手段を備えたことを特徴とする請求項１、２、３又は４記載の異物検知装置を備えた給紙装置。
【請求項６】
前記通電手段によって前記第１のコイルに供給される電流が、正弦波となるように制御する第２の電流制限手段を備えたことを特徴とする請求項１、２、３又は４記載の異物検知装置を備えた給紙装置。
【請求項７】
原稿を積載する積載部と、前記積載された原稿をピックアップする給紙ローラと、前記給紙ローラの搬送方向下流側に配置され前記給紙ローラによりピックアップされた原稿を１枚づつ分離して給送する給紙分離手段と、磁束を発生する第１のコイルと、前記第１のコイルから発生した磁束により誘導電流を発生する第２のコイルと、前記第１のコイルに接続された通電手段と、前記第２のコイルから発生した誘導電流を検知する誘導電流検知手段とを有し、前記第１のコイルと前記第２のコイルを対向して配置すると共に、前記第１のコイルと前記第２のコイルとの間に原稿が通過する原稿搬送パスを形成し、前記原稿が前記原稿搬送パスを通過する際、前記原稿に付着した金属異物を、前記誘導電流検知手段からの出力の変化により検知する異物検知手段を備えたことを特徴とする画像読取装置。
【請求項８】
前記給紙分離手段は、前記給紙分離手段は、原稿を給紙する方向に回転する分離ローラと、前記分離ローラに対向配置され、２枚目以降の原稿の侵入を阻止するリタードローラまたはリタードパッドから構成されていることを特徴とする請求項７記載の異物検知装置を備えたこと特徴とする請求項７記載の画像読取装置。
【請求項９】
前記異物検出手段を、前記原稿が通過する原稿搬送パスの幅方向の全域に一対のコイル対又は複数のコイル対として配置したことを特徴とする請求項７又は８記載の異物検知装置
を備えた画像読取装置。
【請求項１０】
前記通電手段によって前記第１のコイルに供給される電流を制御する第１の制限手段を備えたことを特徴とする請求項７又は９記載の異物検知装置を備えた画像読取装置。
【請求項１１】
前記通電手段によって前記第１のコイルに供給される電流は、正弦波となるように制御する第２の制限手段を備えたことを特徴とする請求項７ないし９記載の異物検知装置を備えた画像読取装置。
【発明の詳細な説明】
【技術分野】
【０００１】
本発明は、原稿等の画像を読み取るイメージスキャナや複写機などの、原稿等を分離して画像処理部へ搬送する給紙装置及びそれを備えた画像読取装置に関する。
【背景技術】
【０００２】
大量の原稿を電子化する場合などは、前処理として人手によって原稿の分類がよく行われている。その際にステープルやクリップを外し、原稿の順番やサイズなどを揃えた上でスキャナなどによる画像読み込みを行っているが、その際ステープルの外し忘れ等は避けることができず、重要な原稿をそのまま給送して、破損させてしまうことがあった。
【０００３】
そこで原稿に付着したステープル等を検出する方法として、たとえば特開平１０−２３９９２０には、原稿送り出し方向に直行する方向に、走査手段を移動させてステープルを検知する技術が開示されている。ここで、図９は走査式異物検知方式を示す説明図であり、LC発信回路４７０を搭載した走査手段４１０が、ステープル近傍に差し掛かったときステープルによる透磁率の変化により発信周波数が変化することを検出することにより、ステープルを検知するものである。また、たとえば特開２０００−１５９４４９には、撮像センサーを原稿幅方向に走査し、画像データからステープルの有無を検出する方法が開示されている。
【特許文献１】特開平１０−２３９９２０号公報
【特許文献２】特開２０００−１５９４４９号公報
【発明の開示】
【発明が解決しようとする課題】
【０００４】
しかしながら、原稿読み取りなどの前処理を人手によって行う場合、ステープルやクリップなどの外し忘れは回避不可能で、処理すべき原稿が大量になればなるほどいっそう困難である。さらに原稿を止めているものがステープルの場合には、大きさが小さいので見落としやすいことは、クリップに比べてさらに著しい。通常ステープル等で止められた原稿が給紙される場合、原稿にめくれが発生するので、原稿のめくれを光学的な手段や、触針などにより検出する方法も考えられるが、たとえば幅の狭い原稿がステープル止めされている場合や、左辺に２箇所以上の冊子上にステープル止めした原稿冊子を、ステープル止めされた左辺を搬送方向前方にして給紙する場合などには、検出するのに十分なたわみを生成できない場合もあり、誤給紙を十分に回避することができず、契約書や証明書など重要な原稿の破損が回避できないという問題があった。さらにステープル止めされた原稿を一枚ずつに分離する場合に紙片が破れ、一枚の紙葉にステープルが残ったままの状態の場合もある。かかる場合には、当該原稿をピックアップした場合にも所要のたわみは発生せず、ステープルを検出しないまま装置内に原稿を導入してしまい、たとえばスキャナであれば画像読取部分のガラスを傷つけてしまうこともあり、あるいはレーザープリンタなどであれば、感光体を傷つけてしまうなど装置の故障を引き起こす重大な原因を回避することができない等の問題があった。
【０００５】
また、特許文献１および特許文献２に開示されている技術では、高速に連続して原稿を読み込む場合、ステープル検出素子を搭載した走査センサーを走査させることが必要であり、高速読取のため、連続的に原稿を給紙しなければならない場合においても、給紙が間欠的にならざるをえないため読取速度が低下することになり高速読取には適用できなかった。
【０００６】
本発明は、上記課題を解決するために、金属等の異物が付着した原稿等が搬送路へ送り
込まれる直前に金属異物を検知することにより、重要原稿及び装置内が破損することを未然に防止できる給紙装置を提供することを目的とする。
【課題を解決するための手段】
【０００７】
本発明は、上記課題を解決するために、磁束を発生する第１のコイルと、第１のコイルから発生した磁束により誘導電流を発生する第２のコイルと、第１のコイルに接続された通電手段と、第２のコイルから発生した誘導電流を検知する誘導電流検知手段とを有し、第１のコイルと第２のコイルを対向して配置すると共に、第１のコイルと第２のコイルとの間に原稿が通過する原稿搬送パスを形成し、原稿が原稿搬送パスを通過する際、原稿に付着した金属異物を、誘導電流検知手段からの出力の変化により検知する異物検知手段を備えたもので、この構成により金属等の異物が付着した原稿等を事前に検知することにより、重要原稿及び装置内の破損を未然に防止できる給紙装置及びそれを備えた画像読取装置が得られる。
【発明の効果】
【０００８】
以上のように、本発明によれば、磁束を発生する第１のコイルと、前記第１のコイルから発生した磁束により誘導電流を発生する第２のコイルと、前記第１のコイルに接続された通電手段と、前記第２のコイルから発生した誘導電流を検知する誘導電流検知手段とを有し、前記第１のコイルと前記第２のコイルを対向して配置すると共に、前記第１のコイルと前記第２のコイルとの間に原稿が通過する原稿搬送パスを形成し、前記原稿が前記原稿搬送パスを通過する際、前記原稿に付着した金属異物を、前記誘導電流検知手段からの出力の変化により検知する異物検知手段を備えたことを特徴とする給紙装置であって、原稿に残されたステープルなどの金属等を検知し、重要原稿と装置内部の破損を未然に防止できるという効果が得られる。
【発明を実施するための最良の形態】
【０００９】
磁束を発生する第１のコイルと、第１のコイルから発生した磁束により誘導電流を発生する第２のコイルと、第１のコイルに接続された通電手段と、第２のコイルから発生した誘導電流を検知する誘導電流検知手段とを有し、第１のコイルと前記第２のコイルを対向して配置すると共に、第１のコイルと第２のコイルとの間に原稿が通過する原稿搬送パスを形成し、原稿が原稿搬送パスを通過する際、原稿に付着した金属異物を、誘導電流検知手段からの出力の変化により検知する異物検知手段を備えたことを特徴とする給紙装置であって、磁界の変化により原稿に残されたステープルなどの金属等を検知し、搬送路へ送り込む直前に検知するので、原稿及び装置の破損を防止できるという作用を有する。
【００１０】
本発明の請求項２記載の発明は、請求項１記載の発明において、第１のコイルおよび第２のコイルのうち少なくとも一方のコア材として、第１のコイル又は前記第２のコイルの中心部には透磁率の高いコア材を配置し、且つ前記コア部材の周囲には透磁率の高いヨーク材を配置した構成とし、第１のコイルのコア材と第２のコイルのコア材は、第１のコイルが生成する磁束の磁力線の方向に略一致するよう、また第１のコイルのヨーク材と第２のコイルのヨーク材は前記第２のコイルを通過して帰還する磁束の磁力線の方向に略一致するように配置したことを特徴とする給紙装置であって、原稿搬送パスを直角に横切るように磁界を形成するので、原稿に付着した金属異物の的確に検知できるという作用を有する。
【００１１】
本発明の請求項３記載の発明は、請求項２記載の発明において、コア材とコア材が内挿された第１のコイル又は第２のコイルは矩形に形成され、且つコア材の搬送パスにおける原稿搬送方向における原稿搬送パス側の幅がコア材の原稿搬送パスとは反対側の幅より、バス側が小さく形成されたことを特徴とする給紙装置であって、発生した磁束が効率的に集中して原稿搬送パスを通過するので、金属等を的確に検知することができるという作用を有する。
【００１２】
本発明の請求項４記載の発明は、請求項２又は３記載の発明において、コア材が内挿された第１のコイル又は第２のコイルの一方又は両方のコイルとコア材の間、又はヨーク材との間に遮蔽部材を設けたことを特徴とする給紙装置であって、磁束がコイル外へ漏れることを軽減することができるという作用を有する。
【００１３】
本発明の請求項５記載の発明は、請求項１、２、３又は４記載の発明において、通電回路によって第１のコイルに供給される電流を制御する第１の電流制限手段を備えたことを特徴とする給紙装置であって、コイルに供給する電流値を増幅するよう制御して強い磁束を発生するので、原稿に付着した金属異物を的確に検知することができるという作用を有する。
【００１４】
本発明の請求項６記載の発明は、請求項１、２、３又は４記載の発明において、通電回路によって第１のコイル供給される電流が、正弦波となるように制御する第２の電流制限手段を備えたことを特徴とする給紙装置であって、原稿が停止している場合においても、原稿に付着する金属異物を検知することができるという作用を有する。
【００１５】
本発明の請求項７記載の発明は、原稿を積載する積載部と、積載された原稿をピックアップする給紙ローラと、給紙ローラの搬送方向下流側に配置され給紙ローラによりピックアップされた原稿を１枚づつ分離して給送する給紙分離手段と、磁束を発生する第１のコイルと第１のコイルから発生された磁束により誘導電流を発生する第２のコイルからなり、第１のコイルと第２のコイルを対向して配置すると共に、２つのコイルの間に原稿が通過する原稿搬送パスを形成し、原稿が原稿搬送パスを通過する際、原稿に付着した金属異物を検知する異物検知手段とを有し、異物検知手段は前記給紙ローラと給紙分離手段との間に配置したことを特徴とする画像読取装置であって、原稿に残されたステープルなどの金属等を検知することで、重要原稿と装置内部の破損を未然に防止できるという作用を有する。
【００１６】
本発明の請求項８記載の発明は、請求項７記載の発明において、給紙分離手段は、原稿を給紙する方向に回転する分離ローラと、分離ローラに対向配置され、２枚目以降の用紙または原稿の侵入を阻止するリタードローラまたはリタードパッドから構成されていることを特徴とする画像読取装置であって、原稿が重送されることを防止できるという作用を有する。
【００１７】
本発明の請求項９記載の発明は、請求項７又は９記載の発明において、異物検知手段を原稿が通過する原稿搬送パスの幅方向の全域に一対のコイル対又は複数のコイル対として配置したことを特徴とする画像読取装置であって、原稿搬送パスを通過する金属異物が付着した原稿を的確の検知することができるという作用を有する。
【００１８】
本発明の請求項１０記載の発明は、請求項７又は９記載の発明において、通電回路によって第１のコイルに供給される電流を制御する第１の制限手段を備えたことを特徴とする異物検知装置を備えた画像読取装置であって、コイルに供給する電流値を増幅するよう制御して強い磁束を発生させるので、原稿に付着した金属異物を的確に検知することができるという作用を有する。
【００１９】
本発明の請求項１１記載の発明は、請求項７又は９記載の発明において、通電回路によって第１のコイルに供給される電流は、正弦波となるように制御する第２制御手段を備えたことを特徴とする画像読取装置であって、原稿が停止している場合においても、原稿に付着する金属異物を検知することができるという作用を有する。
【００２０】
以下、本発明の実施の形態について、図１から図９を用いて説明する。
【００２１】
図１は本発明の一実施の形態である異物検知手段を示す断面図、図２は図１の異物検知手段の分解斜視図、図３は図１の異物検知手段の給紙分離機構部への一搭載例を示す図、図４は（ａ）は図３の異物検知手段の配置説明図、図４は（ｂ）は図１の異物検知手段の遮蔽部材を配置する際の説明図、図５（ａ）は図１の異物検知手段における励磁電流の出力変化を示す図、図５（ｂ）は図１の異物検知手段における磁界の強さの変化を示す図、図５（ｃ）は図１の異物検知手段における誘導電流の時間変化を示す図、図６は（ａ）は図１の異物検知手段の励磁電流の出力変化を示す図、図６（ｂ）は図１の異物検知手段における金属異物が介在した場合の磁界の強さの変化を示す図、図６（ｃ）は図１の異物検知手段における金属異物が介在した場合の誘導電流の時間変化を示す図、図７は図１の異物検知手段における異物が介在した場合の磁束の状態を示す図、図８（ａ）は図１の異物検知手段における励磁電流の時間変化を示す図、図８（ｂ）は図１の異物検知手段における金属異物が介在しない場合の誘導電流の時間変化を示す図、図８（ｃ）は図１の異物検知手段における金属異物が介在する場合の誘導電流の時間変化を示す図、図９は従来の異物検知手段における走査式異物検知機構の説明図である。
【００２２】
まず図１及び図２を用いて、励磁コイルと検知コイルとで構成される発生磁力線（以下、磁束）ついて説明する。
【００２３】
１は励磁コイルであり、銅線１９（図２に図示）を励磁コイルボビン２に巻きつけて形成されている。銅線１９の両端は磁励コイル直流電源１２に励磁コイルスイッチ１１を介して接続されており、磁励コイルスイッチ１１が閉じられると、励磁コイル１に電流が流れる。３は励磁コイル１の内部に配置された励磁コイルコアで、フェライトやケイ素鋼板など透磁率の高い材料で製作されている。４は励磁コイル１のケ−スを兼ねた励磁コイルヨークである。５は原稿搬送パスで、原稿搬送パス５に対向する位置にある検知コイルコア６は、検知コイルボビン７に巻きつけられた検知コイルコア６の中に配置された検知コイルコア６と検知コイルコア８のケースを兼ねた検知コイルヨーク９で構成され、検知コイル６の銅線の両端は、検知抵抗１３の両端に電位差が生じるように、一端をグランドに接続された検出回路（図示せず）に接続されている。励磁コイルスイッチ１１を閉じ、励磁コイル１に電流が流れると、磁束１０が発生する。図４（ａ）に示すように、励磁コイル１と検知コイル６は原稿搬送パス５をはさんで対向しており、図１に示すその対向する面は励磁コイル１と検知コイル６とに内挿された励磁コイルコア３と検知コイルコア８部分の断面より原稿搬送方向側のコイルコア８部分の断面の幅を小さくしてあるので、励磁コイル１に発生した磁束１０は集中して効率的に検知コイル６を通過する。検知コイル６の出口側には検知コイル６を包むように構成されたケースを兼ねた検知コイルヨーク９が配置されているので、検知コイル６を通過した磁束１０はこの検知コイルヨーク９へ導かれ、原稿搬送パス５へ戻ってくる。励磁コイル１の励磁コイルヨーク４は、原稿搬送パス５をはさんで検知コイルヨーク９に対向するように配置されているので、検知コイルヨーク９を通過した磁束１０は、原稿搬送パス５を横切り励磁コイルヨーク４を通過して、励磁コイル１へと帰還し、磁束１０が形成される。また、励磁コイル１から生成された磁束１０が、検知コイル６を通過せずに帰還する漏れ磁束を軽減するため、図４（ｂ）に示すように励磁コイルコア３と励磁コイルヨーク２又は励磁コイルボビン２と励磁コイルヨークとの間にプラスチックなどの透磁率の低い遮蔽材料２１、２２を配置すれば、磁束１０の効率は高くなり、遮蔽材料はボビン２の一部として構成することも可能である。
【００２４】
このように、原稿１０５の搬送面をはさんで第１の磁束発生コイルである励磁コイル１と第２の誘導電流発生コイルである検出コイル６からなるコイル対を、励磁コイル１の発生した磁束１０が検出コイル６を通過するように対向して、励磁コイル１と検出コイル６
の間を原稿１０５が通過できる間隔をあけて配置する。そして、励磁コイル１に電圧を印加し電流を流して磁束１０を発生させると、検出コイル６は励磁コイル１の発生した磁束１０を通過させる位置に配置され、誘導電流を検出する回路が接続されているので、検出コイル６を通過する磁束１０の変化に応じた誘導電流が流れると、これをたとえば図１に示すような検出回路であれば、電圧の変化として検出することができる。励磁コイル１に一定の電流を流している状態では検出コイル６を通過する磁束１０は変化しないが、励磁コイル１と検出コイル６の間をステープルなどの金属片が通過すると、検出コイル６を通過する磁束が変化し、これにともない誘導電流が変化するので、検出回路の電圧の変化として異物の侵入を検知することができる。
【００２５】
次に、図５（a）において、励磁コイル１に接続された励磁コイル直流電流１２を閉じると、励磁コイル１に流れる電流は、励磁コイル１のインダクタンスLと直流抵抗Rの回路定数で決定される時定数をもって増加し、一定の電流値Ipに落ち着く。その結果、図５（ｂ）に示すように、生成される磁束１０は電流値Ipに比例して増加し、磁束値φになる。一方、図５（ｃ）に示すように、検知コイル６に生起する誘導電流は磁束１０の変化を打ち消す方向に発生し磁束値がφに落ち着くと電流値Irはゼロになる。
【００２６】
更に図２及び図３を用いて詳細に説明すると、上記状態で原稿１０５が給紙され原稿搬送パス５を原稿１０５が通過する。原稿１０５にステープル２００などの金属異物が付着していない場合は、磁束１０のφの変化は小さいので、検知コイル６には電流はほとんど発生しない。一方、原稿１０５がステープル止めをされている場合は、図６に示すようにステープル２００が磁束１０を横切るように通過することによってステープル２００に渦電流が発生し、渦電流が発生する磁界が検知コイル６を通過する磁束１０を変化させ、検知コイル６にはこの磁束１０の変化を打ち消す方向に電流生起する。つまり、励磁コイル１に直流電流を印加すると、電流値とコイルの巻き数に比例した強さで磁界が発生し、電流値が一定になると磁界の強さも一定になる。検知コイル６には、磁束１０の変化を打ち消すように誘導電流が流れるので、電流値が一体の場合には、誘導電流はほとんど流れない。発生した磁界の中を金属の異物が通過すると、その金属異物に渦電流を生起するため磁界が変化し、その結果、検知コイル６に磁界の変化を打ち消すような電流が流れる。従って、図１の検知回路に検知抵抗１３の両端に電位差Vrを発生するので、これを増幅しADコンバータなどでディジタル変換すれば、ステープルなどの金属異物が存在するとして検出することができる。
【００２７】
また、図８（ａ）に示すように、励磁コイル１に、たとえば正弦波状の電流を印加し、これに応じて変化する磁界を生成させておけば、検知コイル６には同様に正弦波上に変化する磁界の変化を打ち消すような誘導電流を生起する。この場合、磁束１０が原稿搬送パス５を横切る部分にステープルなどの金属異物がない場合には、図８（ｂ）に示すように位相が１８０度遅れた正弦波状の誘導電流をとなる。一方、図８（ｃ）に示すように、金属異物がある場合には、金属異物に渦電流を生起するので、渦電流による磁界のため検知コイル６に生起する電流が変化し、たとえば金属異物のない場合の電流値より小さくなるなどの差が現れる。したがって、励磁コイル１に正弦波状など変化する電流を印加して、金属異物が存在する場合に検知コイル６に生成する電流のパターンを記憶しておき、原稿１０５の通過の際の検知コイルの電流発生の変化を監視して上記記憶した金属異物がない場合の電流変化のパターンと比較すれば、たとえば原稿が停止している場合にも、原稿に付着した金属異物の存在を検出することができる。
【００２８】
また、本発明は、連続的に原稿を給紙しなければならない場合においても、その給紙速度を低下させることなく、金属で形成されているステープルやクリップなど金属異物を原稿１０５が給紙される前に検出して、給紙動作を停止させ、警告を表示するなど、重要原
稿の保護および装置や装置内部の重要部位の破損を未然に防止することができる。
【００２９】
つまり、原稿搬送パス５をはさんで、一方に磁界を生起する励磁コイル１を、対向する他方に励磁コイル１の磁界による磁束１０を通過させる検知コイル６を配置し、これらの２つのコイル１、コイル６で形成する磁気回路が原稿搬送パス５を横切るように構成して一定の強度の磁界を発生させ、磁界を横切るように原稿等１０５を搬送させることにより、原稿搬送パスに搬送される原稿１０５に残ったステープルなどの金属異物が付着している場合には、磁界を移動する金属異物に誘起される渦電流により発生する磁界の変化が検知コイル６で検知して電流の変化を検出することにより異物の存在を検出することができるものである。
【００３０】
また、上記構成の磁気回路において、励磁コイル１に印加する電流をたとえば正弦波状に変化させておけば、検知コイル６には励磁コイル１が生成する磁束１０の変化を打ち消すような電流を発生するので、金属異物が磁気回路状に存在しない場合の電流変化を基準に、金属異物が存在する場合の電流変化を比較すれば、原稿が停止している場合であっても、金属異物の存在を検出することができるものである。更に本願発明の実施の形態である異物検知装置を配置する位置は、給紙直前だけでなく、搬送路途中の画像読取部の直前であっても良いことは言うまでもない。
【００３１】
以上説明したように、励磁コイル１に正弦波状に変化する電流を流した場合、検知コイル６には磁束１０の変化に応じた誘導電流が発生する。励磁コイル１と検知コイル６の間にステープルなどの異物が存在する状態としない状態での誘導電流による信号、たとえば電圧変化のパターンを比較することによって停止した状態の異物の存在を検出できる。
前記した手段により、原稿束に残されたステープルなどの金属異物を検知し、重要原稿の破損を未然に防止することができる。
【産業上の利用可能性】
【００３２】
本発明は、大量の書類、原稿を読み取るドキュメントスキャナ、コピー機、ＦＡＸなどの原稿読み取り装置や、裏紙を利用するページプリンタなどの給紙装置として有用である。
【図面の簡単な説明】
【００３３】
【図１】本発明の一実施の形態である異物検知手段を示す断面図
【図２】図２は図１の異物検知手段の分解斜視図
【図３】図１の異物検知手段の給紙分離機構部への一搭載例を示す図
【図４】（ａ）は図３の異物検知手段の概観図、（ｂ）は図１の異物検知手段の遮蔽部材を配置する際の説明図
【図５】（ａ）図１の異物検知手段における励磁電流の出力変化を示す図、（ｂ）図１の異物検知手段における磁界の強さの変化を示す図、（ｃ）図１の異物検知手段における誘導電流の時間変化を示す図
【図６】（ａ）図１の異物検知手段の励磁電流の出力変化を示す図、（ｂ）図１の異物検知手段における金属異物が介在した場合の磁界の強さの変化を示す図、（ｃ）図１の異物検知手段における金属異物が介在した場合の誘導電流の時間変化を示す図
【図７】（ａ）図１の異物検知手段における励磁電流の時間変化を示す図、（ｂ）図１の異物検知手段における金属異物が介在しない場合の誘導電流の時間変化を示す図、（ｃ）図１の異物検知手段における金属異物が介在する場合の誘導電流の時間変化を示す図
【図８】（ａ）図１の異物検知手段における励磁電流の時間変化を示す図、（ｂ）図１の異物検知手段における金属異物が介在しない場合の誘導電流の時間変化を示す図、（ｃ）図１の異物検知手段における金属異物が介在する場合の誘導電流の時間変化を示す図
【図９】従来の異物検知手段における走査式異物検知機構の説明図
【符号の説明】
【００３４】
１    励磁コイル
２    励磁コイルボビン
３    励磁コイルコア
４    励磁コイルヨーク
５    紙パス
６    検知コイル
７    検知コイルボビン
８    検知コイルコア
９    検知コイルヨーク
１０    磁束（発生磁力線）
１１    励磁コイルスイッチ
１２    励磁コイル直流電源
１３    検知抵抗
１４    検知コイル回路電流制限抵抗
１５    励磁コイル電流制限抵抗
１９    銅線
２１    遮蔽部材
【図１】
2005263339.tif 000003
【図２】
2005263339.tif 000004
【図３】
2005263339.tif 000005
【図４】
2005263339.tif 000006
【図５】
2005263339.tif 000007
【図６】
2005263339.tif 000008
【図７】
2005263339.tif 000009
【図８】
2005263339.tif 000010
【図９】
2005263339.tif 000011